(57)【特許請求の範囲】
【請求項１】
上端部が海面から突出する係留ポールに嵌着されて潮の満干に応じて昇降するとともに、海苔網の係留綱を係留する海苔網係留浮子において、
前記係留ポールに嵌着される内径を有する略円環状の浮子本体は、略半円弧状の同一形状に成形された一対の浮子部材にて構成され、
これら両浮子部材の両端部には、前記浮子本体の軸方向に対して互いに対向する反対面側に互いに係合される係合部がそれぞれ凹段部状に形成され、
これら各係合部には、係合したときに互いに連通される貫通孔がそれぞれ前記両浮子部材の係合状態における軸方向に沿って形成されるとともに、前記各係合部の外周面に、係合したときに互いに連通され係合保持具を係脱自在に係合する外周溝部が前記両浮子部材の係合状態における円周方向と直交する周方向に沿ってそれぞれ形成される
ことを特徴とした海苔網係留浮子。
【請求項２】
浮子部材の一端側の係合部の係合面に形成された貫通孔の周縁には、この貫通孔の開口周縁に沿った略円環状の環状突縁が突設され、他端側の係合部の係合面に形成された貫通孔の周縁には、前記環状突縁が嵌合される内径を有する嵌合凹部が形成されている
ことを特徴とした請求項１記載の海苔網係留浮子。
【発明の詳細な説明】
【０００１】
【発明の属する技術分野】
本発明は、海面から突出する係留ポールに海苔網の係留綱を係留させ、潮の満干に応じて昇降する海苔網係留浮子に関する。
【０００２】
【従来の技術】
従来、この種の海苔網係留浮子としては、例えば実開昭５２−５２５９３号公報に記載の構成が知られている。
【０００３】
この実開昭５２−５２５９３号公報に記載の海苔網係留浮子の浮子本体は、上端部が海面から突出する係留ポールの径寸法より径大な内径寸法を有する円環状に成形されている。
【０００４】
しかしながら、この実開昭５２−５２５９３号公報に記載の海苔網係留浮子は、浮子本体を係留ポールに上端部から嵌着し、この浮子本体に海苔網の係留綱を締結することにより、潮の満干による海面の変化に伴って浮子本体が昇降して海苔網を昇降させることができるが、干潮時には海面より大幅に上方に突出している係留ポールの上端部から浮子本体を挿通させなければならないため、船上における浮子本体の着脱作業が不安定で、作業性が悪いという問題があった。
【０００５】
また、例えば実公昭６０−１１７９４号公報に記載の構成の海苔網係留環が知られている。
【０００６】
この実公昭６０−１１７９４号公報に記載の海苔網係留環は、可撓性を有し、係脱自在の切り離し部を形成した略円環体に成形され、この切り離し部の径方向の対称な位置には、軸方向と直交する垂直方向に沿って屈曲する支点部が形成されている。また、海苔網係留環の外周部には、海苔網の係留綱を係留する略半円環状の取付環の両端部がそれぞれ取り付けらている。
【０００７】
しかしながら、この実公昭６０−１１７９４号公報に記載の海苔網係留環は、この海苔網係留環の切り離し部の係合を解除してこの係合部を開放させて、係留ポールの中間部に嵌着させ、その後、海苔網係留環の切り離し部を係合させて海苔網係留環を係留ポールに取り付けるため、着脱作業が容易であるが、海苔網係留環が係留ポールの径寸法より若干径小な内径寸法に成形されているので、潮の満干に関係なく常に係留ポールの一定の位置に海苔網の係留網が連結されるため、干潮時などに海苔網が干出する恐れがあり、海苔網係留環の取り付け位置を移動する必要があったため、手間が掛かるという問題があった。
【０００８】
【発明が解決しようとする課題】
上述したように、実開昭５２−５２５９３号公報に記載の海苔網係留浮子では、干潮時に船上から海苔網係留浮子を係留ポールの上端部から挿通させて嵌着させる必要があるため、作業性が悪いという問題があった。
【０００９】
また、実公昭６０−１１７９４号公報に記載の海苔網係留環では、係留ポールに海苔網係留環が固着されるため、干潮時などに海苔網が干出する恐れがあるという問題があった。
【００１０】
本発明は、上記問題点に鑑みなされたもので、海苔網を係留ポールに係留させ潮の満干に応じて昇降でき、係留ポールへの着脱作業性がよい海苔網係留浮子を提供することを目的とする。
【００１１】
【課題を解決するための手段】
請求項１記載の海苔網係留浮子は、上端部が海面から突出する係留ポールに嵌着されて潮の満干に応じて昇降するとともに、海苔網の係留綱を係留する海苔網係留浮子において、前記係留ポールに嵌着される内径を有する略円環状の浮子本体は、略半円弧状の同一形状に成形された一対の浮子部材にて構成され、これら両浮子部材の両端部には、前記浮子本体の軸方向に対して互いに対向する反対面側に互いに係合される係合部がそれぞれ凹段部状に形成され、これら各係合部には、係合したときに互いに連通される貫通孔がそれぞれ前記両浮子部材の係合状態における軸方向に沿って形成されるとともに、前記各係合部の外周面に、係合したときに互いに連通され係合保持具を係脱自在に係合する外周溝部が前記両浮子部材の係合状態における円周方向と直交する周方向に沿ってそれぞれ形成されるものである。
【００１２】
そして、一方の浮子部材の一端側の係合部と、他方の浮子部材の他端側の係合部とを係合すると、この各係合部に形成された貫通孔が連通され、この連通された各貫通孔に海苔網の係留綱を連結するとこの各係合部が回動可能となり、この各係合部を互いに開放する方向に回動して一方の浮子部材の他端側の係合部と、他方の浮子本体の一端側の係合部との間の開口部から係留ポールの中間部を挿通させ、再び両浮子部材を互いに係合する方向に回動して一方の浮子部材の他端側の係合部と、他方の浮子部材の他端側の係合部とを係合して係合保持具にて係合状態を保持すると、海苔網が昇降自在に係留ポールに係留され、船上に立ち上がることなく、海面に近い位置で浮子本体を係留ポールに嵌着できるため、浮子本体の装着作業を安定して行えるとともに、浮子本体から係合保持具を脱着し、一方の浮子部材の他端側の係合部と、他方の浮子部材の一端側の係合部との係合を解除すると、海苔網の係留綱にて係合状態が保持されている一方の浮子部材の一端側の係合部と、他方の浮子部材の他端側の係合部とが回動可能となり、さらに、一方の浮子部材の他端側の係合部と、他方の浮子部材の一端側の係合部との間の開口部を開放すると、係留ポールの中間部から浮子本体が取り外せるので、船上に立ち上がって浮子本体を係留ポールの上端部から取り外すことなく、海面近傍で浮子本体が取り外せるため、浮子本体の脱着作業も安定して行える。
【００１３】
また、一対の浮子部材の係合状態の他方の各係合部にそれぞれ形成された各外周溝部に係合保持具を係合すると、この係合保持具にて他方の各係合部が摺動することがなく安定した係合状態で保持され、さらに、浮子本体は同一形状に成形された一対の浮子部材にて形成されているため、一つの成形型で浮子本体が形成できるので、浮子本体の製造が容易になり安価に成形できる。
【００１４】
請求項２記載の海苔網係留浮子は、請求項１記載の海苔網係留浮子において、浮子部材の一端側の係合部の係合面に形成された貫通孔の周縁には、この貫通孔の開口周縁に沿った略円環状の環状突縁が突設され、他端側の係合部の係合面に形成された貫通孔の周縁には、前記環状突縁が嵌合される内径を有する嵌合凹部が形成されているものである。
【００１５】
そして、両浮子部材の各係合部を係合してそれぞれの嵌合凹部にそれぞれの環状突縁を挿入すると、各係合部の確実な係合が容易にでき、また、海苔網の係留綱で一方の各係合部の連通孔を連結すると、この一方の各係合部が嵌合凹部および環状突縁の中心軸を軸として回動可能となり、さらに、係合保持具にて他方の各係合部の係合状態を保持すると、環状突縁と嵌合凹部との嵌合によって、他方の各係合部の係合状態が確実に安定保持される。
【００１６】
【発明の実施の形態】
以下、本発明の海苔網係留浮子の実施の一形態の構成を図面を参照して説明する。
【００１７】
図１ないし図６において、１は浮子本体で、この浮子本体１は、海苔網２の係留綱３を係留ポール４に係留させ、潮の満干に応じて前記海苔網２が昇降されるものである。そして、前記海苔網２は、網目部５にアサクサノリまたはスサビノリなどの胞子を付着させ、海苔を育成して収穫する網である。また、この海苔網２の各角部には、浮子本体１などに連結する綱状の前記係留網３がそれぞれ設けられている。次いで、前記係留ポール４は、下端部が海底に固定され、上端部が満潮時の海面からも突出するように設けられている。
【００１８】
また、前記浮子本体１は、前記係留ポール４に嵌着される内径を有する断面略円形の略円環状に成形されている。この浮子本体１は、同一形状に成形された一対の断面円形状の略半円弧状の浮子部材６にて構成されている。さらに、この浮子部材６は、海水に対する浮力が大きくなるように、例えば内部が中空であるとともに、外周部が海水を吸収しない性質を有する合成樹脂などで成形されている。また、この浮子部材６の前記両浮子部材６の係合状態における円周方向の両端部には、係合状態で互いに係合される係合部７，８が形成されている。これら各係合部７，８は、それぞれ凹段部状に形成され、前記浮子本体１の軸方向に対して互いに対向する反対面側にそれぞれ形成されている。また、これら各係合部７，８の略中央部には、係合したときに互いに連通され前記浮子本体の軸方向に沿って貫通された貫通孔９が形成されている。さらに、前記各係合部７，８の外周面１０には、係合したときに互いに連通され前記両浮子部材６の係合状態における円周方向と直交する周方向に沿った凹溝状の外周溝部１１がそれぞれ形成されている。この外周溝部１１は、前記貫通孔９の中心軸上を通過する仮想円周上に沿って形成されている。
【００１９】
そして、前記各係合部７，８は、前記両浮子部材６を互いに係合されるように前記両浮子部材６の係合状態における円周方向に沿った略平面状にそれぞれ形成された係合面１２ａ  ，１２ｂ  と、これら各係合面１２ａ  ，１２ｂ  の基端側に接続され前記係合面１２ａ  ，１２ｂ  に対して略垂直な凹弧状の周面形状にそれぞれ形成された凹弧面１３とにて構成されている。また、これら各係合部７，８の前記各係合面１２ａ  ，１２ｂ  の略中間部には、前記貫通孔９がそれぞれ形成されている。
【００２０】
また、前記係合面１２ａ  は、前記浮子部材６の前記両浮子部材６の係合状態における円周方向の一端側に設けられており、前記係合面１２ｂ  は、前記浮子部材６の他端側に設けられている。そして、前記各凹弧面１３は、前記浮子部材６の前記両浮子部材６の係合状態における円周方向のそれぞれの先端部１４の周面形状と対応した凹弧状の周面形状に形成されている。また、この凹弧面１３は、前記貫通孔９の中心軸を軸とする周面形状に形成されている。
【００２１】
さらに、前記浮子部材６の一端側の係合部８の係合面１２ａ  に形成された貫通孔９の周縁には、この貫通孔９の開口周縁に沿った略円環状の環状突縁１５が突設されている。また、この浮子部材６の他端側の係合部８の係合面１２ｂ  に形成された貫通孔９の周縁には、前記環状突縁１５が嵌合される内径を有する嵌合凹部１６が形成されている。
【００２２】
ここで、一方の前記浮子部材６の各係合部７，８と、他方の前記浮子部材６の各係合部７，８とを係合すると、係合された互いの前記各係合部７，８の貫通孔９にて連通された連通孔１７がそれぞれ形成される。この連通孔１７の一方には、前記海苔網２の係留綱３を挿通して締結することにより連結され、前記両浮子部材６が回動可能に係合される。また、他方の前記連通孔１７には、この連通孔１７が形成されている各係合部７，８を保持するとともに、この各係合部７，８にそれぞれ形成されている前記各外周溝部１１に係脱自在に係合する係合保持具１８が装着される。
【００２３】
そして、この係合保持具１８は、針金などで前記浮子本体１の前記外周溝部１１の前記両浮子部材６の係合状態における円周方向と直交する周方向の曲率とほぼ同曲率の円弧状に成形され、前記浮子本体１の他方の各係合部７，８の連通孔１７の両開口部に、それぞれ挿入される係止部１９が両端部２０にそれぞれ形成されている。この係合保持具１８の中間部２１は、前記浮子本体１の他方の各係合部７，８の各外周溝部１１に係合する形状に形成されている。
【００２４】
次に、上記に示す実施の一形態の作用について説明する。
【００２５】
まず、浮子本体１の一方の浮子部材６の環状突縁１５を有する係合部７と、他方の浮子部材６の嵌合凹部１６を有する係合部８とを係合すると、一方の浮子部材６の環状突縁１５が他方の浮子部材６の嵌合凹部１６に挿入し、一方の浮子部材６の貫通孔９と他方の浮子部材６の貫通孔９とが連通して連通孔１７が形成される。そして、この連通孔１７に、海苔網２の係留網３を挿通させて締結させることにより連結すると、一方の浮子部材６の環状突縁１５を有する係合部７と、他方の浮子部材６の嵌合凹部１６を有する係合部８とが、前記連通孔１７の中心軸を軸として回動可能に係合保持される。
【００２６】
次いで、海苔網２の係留網３に連結された一方の各係合部７，８を回動させて、一方の浮子部材６の嵌合凹部１６を有する係合部８と、他方の浮子部材６の環状突縁１５を有する係合部７との間を、浮子本体１の軸方向と直交する垂直方向に沿って開放する。そして、海面から突出する係留ポール４の中間部に、開放された側に位置する他方の各係合部７，８の間を通過させて浮子本体１に係留ポール４を挿通させる。
【００２７】
さらに、海苔網２の係留網３に連結された一方の各係合部７，８を回動させて開放された側に位置する他方の各係合部７，８を互いに係合すると、他方の浮子部材６の環状突縁１５が一方の浮子部材６の嵌合凹部１６に挿入しているので、一方の浮子部材６の他端側の係合部８の貫通孔９と、他方の浮子部材６の一端側の係合部７の貫通孔９とが連通して連通孔１７が形成される。そして、一方の浮子部材６の嵌合凹部１６を有する係合部８と、他方の浮子部材６の環状突縁１５を有する係合部７との係合が保持されるとともに、この他方の各係合部７，８の外周面１０に連通して形成された外周溝部１１に係合保持具１８を係合し、係留ポール４に海苔網２の係留網３を係留する浮子本体１が嵌脱自在に嵌着される。
【００２８】
また、係留ポール４から浮子本体１を取り外す際には、この浮子本体１に取り付けた係合保持具１８を取り外し、次に、係合保持具１８を取り付けた側の他方の各係合部７，８の係合を解除する。そして、海苔網２の係留網３で回動可能に係合された一方の各係合部７，８を回動させて、係合保持具１８を取り付けた側の他方の各係合部７，８の間を開放して、係留ポール４の中間部から浮子本体１を取り外す。
【００２９】
上述したように、上記実施の一形態では、一方の浮子部材６の環状突縁１５を有する係合部７と、他方の浮子部材６の嵌合凹部１６を有する係合部８とを係合させて、この各係合部７，８の係合にて形成される連通孔１７に海苔網２の係留網３を挿通させて締結させることにより連結すると、この各係合部７，８が浮子本体１の軸方向と直交する垂直方向に沿って回動可能に係合する。すなわち、一方の浮子部材６の環状突縁１５を有する係合部７と、他方の浮子部材６の嵌合凹部１６を有する係合部８との間に係留ポール４の中間部を挿通させて、一方の浮子部材６の嵌合凹部１６を有する係合部８と、他方の浮子部材６の環状突縁１５を有する係合部７とを係合させて、係合した後の他方の各係合部７，８に係合保持具１８を装着すると、この係合保持具１８が連通した連通孔１７に係合して、浮子本体１が係留ポール４に嵌着される。よって、係留ポール４の上端部から浮子本体１を挿通させることなく係留ポール４に浮子本体１が嵌着できるので、不安定な船上に立ち上がることなく、海面近傍で浮子本体１を係留ポール４の中間部から嵌着できるため、浮子本体１の嵌着作業が容易にできる。
【００３０】
また、係留ポール４に嵌着した浮子本体１の一方の浮子部材６の嵌合凹部１６を有する係合部８と、他方の浮子部材６の環状突縁１５を有する係合部７との各外周溝部１１から係合保持具１８を取り外し、一方の浮子部材６の嵌合凹部１６を有する係合部８と、他方の浮子部材６の環状突縁１５を有する係合部７との係合を解除して開放すると、係留ポール４の中間部から浮子本体１が取り外せるので、浮子本体１を係留ポールに嵌着するときと同様に、不安定な船上に立ち上がることなく海面近傍で浮子本体１が脱着できるため、浮子本体１の脱着作業が容易にできる。
【００３１】
さらに、同一形状に成形された一対の浮子部材６にて浮子本体１が形成されているため、浮子部材１を成形する成形型だけで浮子本体１が形成でき、浮子本体１の製造コストを軽減できる。
【００３２】
そして、一方の浮子部材６の環状突縁１５を有する係合部７と、他方の浮子部材６の嵌合凹部１６を有する係合部８とを係合して、この係合により形成される連通孔１７に海苔網２の係留網３を挿通させて締結させることにより一方の各係合部７，８を連結すると、この一方の各係合部７，８は、環状突縁１５およびと嵌合凹部１６の中心軸を軸として回動可能に係合するとともに、一方の浮子部材６の嵌合凹部１６に、他方の浮子部材６の環状突縁１５を挿入して係合させ、この係合した他方の各係合部７，８に係合保持具１８を装着すると、一方の浮子部材６の嵌合凹部１６を有する係合部８と、他方の浮子部材６の環状突縁１５を有する係合部７との係合が係脱自在に確実に保持される。よって、係留ポール４に対する浮子本体１の嵌着が安定するとともに、潮の流れなどによる係留ポール４からの浮子本体１の脱着が防止できる。また、他方の各係合部７，８の各外周溝部１１に係合保持具１８を係合するため、係合保持具１８の安定した係合が容易にできる。
【００３３】
なお、上記実施の一形態では、浮子本体１は、断面略円形の円環状に成形されているが、係留ポール４を係留できる形状であれば、例えば断面矩形の環体に成形された浮子本体でもよい。
【００３４】
そして、浮子部材６の凹弧面１３は、この浮子部材６の先端部１４の円弧形状に対応した凹弧状に形成されているが、環状突縁１５を有する係合部７と、嵌合凹部１６を有する係合部８とが、この各係合部７，８にて形成される連通孔１７の中心軸を軸として回動可能に係合する構成であればよい。
【００３５】
また、浮子本体１の他方の各係合部７，８に装着された係合保持具１８は、環状突縁１５を有する係合部７と、嵌合凹部１６を有する係合部８との係合を保持できる形状であるとともに、各係合部７，８の外周面１０に連通して形成されている各外周溝部１１に係合する構成であればよい。例えば、弾性を有する合成ゴムなどで、浮子部材６の両浮子部材６の形状状態における円周方向に対する径寸法より若干径小な内径寸法であるとともに、各外周溝部に係合可能な略円環状に成形された係合保持具でもよい。
【００３６】
【発明の効果】
請求項１記載の海苔網係留浮子によれば、浮子本体の一方の各係合部にて形成される連通孔に海苔網の係留綱を連結すると、この一方の各係合部が回動可能となり、また、浮子本体の他方の各係合部の各外周溝部に係合保持具を係合すると、他方の各係合部の係合状態が保持されるため、浮子本体の他方の各係合部を開放して係留ポールの中間部に挿通させることができ、係留ポールの上端部から浮子本体を挿通させることなく、海面近傍で浮子本体を係留ポールに嵌着できるので、浮子本体の装着作業が容易になり、また、浮子本体から係合保持具を取り外して、係合保持具が係合する側の他方の各係合部を開放すると、浮子本体が係留ポールの中間部から取り外せるので、不安定な船上に立ち上がることなく、海面近傍の位置で浮子本体を係留ポールの中間部から脱着できるので、浮子本体の脱着作業が容易になり、さらには、浮子本体の他方の各係合部の各外周溝部に係合保持具を係合するだけで、他方の各係合部の係合状態が安定保持されるので、多方向の各係合部の安定保持が容易にでき、また、浮子本体が同一形状の一対の浮子部材にて形成されているため、浮子部材を成形する成形型のみで形成でき、安価に製造できる。
【００３７】
請求項２記載の海苔網係留浮子によれば、請求項１記載の海苔網係留浮子の効果に加え、両浮子部材の各係合部を係合すると、一方の浮子部材の環状突縁が、他方の浮子部材の嵌合凹部に挿入するため、浮子本体の一方の各係合部の連通孔に海苔網の係留綱を連結して、この一方の各係合部を回動させると、環状突縁が嵌合凹部の内部で回動するので、浮子本体の一方の各係合部の回動方向を安定でき、また、他方の各係合部の係合を係合保持具を用いて保持すると、環状突縁が嵌合凹部に挿入しているため、他方の各係合部の正確な係合保持が容易にできる。
【図面の簡単な説明】
【図１】本発明の海苔網係留浮子の実施の一形態を示す斜視図である。
【図２】同上浮子部材の平面図である。
【図３】同上浮子部材の平面図である。
【図４】同上浮子部材の平面図である。
【図５】同上浮子部材の斜視図である。
【図６】同上浮子本体の一部を示す断面図である。
【符号の説明】
１    浮子本体
２    海苔網
３    係留網
４    係留ポール
６    浮子部材
７，８    係合部
９    貫通孔
１０    外周面
１１    外周溝部
１２ａ  ，１２ｂ      係合面
１５    環状突縁
１６    嵌合凹部
１７    連通孔
１８    係合保持具
【図１】
0003602741.tif 000002
【図２】
0003602741.tif 000003
【図３】
0003602741.tif 000004
【図４】
0003602741.tif 000005
【図５】
0003602741.tif 000006
【図６】
0003602741.tif 000007